(57)【特許請求の範囲】
【請求項１】
複数の配線の導通／非導通状態を個別に切り換える複数の切換スイッチと、第一配線が導通状態のときに第二切換スイッチによる第二配線の導通状態への切り換え操作を規制し、且つ、前記第二配線が導通状態のときに第一切換スイッチによる前記第一配線の導通状態への切り換え操作を規制するインターロック構造とを備える切換装置であって、
前記第一切換スイッチが、前記第一配線を導通状態とする導通位置と、前記第一配線を非導通状態とする非導通位置との間で移動可能とされた導電性部材を備え、
前記インターロック構造が、前記導電性部材に一体に固定された規制部材を備え、
当該規制部材は、前記導電性部材を前記導通位置に配した状態において、前記第二配線を非導通状態から導通状態とする前記第二切換スイッチの切り換え操作を規制し、且つ、前記導電性部材を前記非導通位置に配した状態において、前記第二配線を非導通状態から導通状態とする前記第二切換スイッチの切り換え操作の規制を解除し、
前記規制部材が電気的な絶縁性を有し、
前記第一切換スイッチが、前記導電性部材及び前記規制部材を前記導通位置に配した状態で前記導電性部材の両端を前記第一配線の端子に固定し、前記導電性部材及び前記規制部材を前記非導通位置に配した状態で前記規制部材を前記第一配線の端子に固定する固定具を備えることを特徴とする切換装置。
【請求項２】
前記導電性部材及び前記規制部材は、回転によって前記導通位置と前記非導通位置との間で移動可能とされていることを特徴とする請求項１に記載の切換装置。
【請求項３】
前記インターロック構造は、前記第二配線が導通状態のときに前記導電性部材及び前記規制部材の前記導通位置への移動を阻止する移動阻止手段を備えることを特徴とする請求項１又は請求項２に記載の切換装置。
【請求項４】
前記第二切換スイッチ及び前記第二配線が複数設けられ、
前記インターロック構造が、前記第二配線を導通状態に切り換える全ての前記第二切換スイッチの切り換え操作を阻止する切換阻止位置と、前記第二配線を導通状態に切り換える少なくとも一つの前記第二切換スイッチの切換え操作を可能とする切換可能位置との間で移動可能とされ、且つ、前記導電性部材を前記導通位置に配した状態において前記規制部材によって前記切換阻止位置に固定される切換阻止部材を備え、
前記移動阻止手段が、前記切換阻止部材に形成され、前記切換阻止部材を前記切換可能位置に配した状態で前記規制部材の前記導通位置に配される当接突起によって構成されていることを特徴とする請求項３に記載の切換装置。
【請求項５】
前記切換阻止部材は、前記切換阻止位置に配された状態で前記導通位置に配された前記規制部材に係合することで、前記切換阻止位置に固定されることを特徴とする請求項４に記載の切換装置。
【請求項６】
前記第一切換スイッチが、前記導電性部材を前記第一配線の端子から離間する方向に付勢する付勢手段を備えることを特徴とする請求項１から請求項５のいずれか１項に記載の切換装置。
【発明の詳細な説明】
【技術分野】
【０００１】
この発明は、切換装置に関する。
【背景技術】
【０００２】
従来、複数の配線の導通／非導通状態を個別に切り換える複数の切換スイッチ（遮断器）を備える切換装置には、例えば特許文献１のように、一の配線が導通状態のときに他の配線を非導通状態に保持し、他の配線が導通状態のときに一の配線を非導通状態に保持する規制部材（メカニカルインターロック）を設けて、一の配線及び他の配線が同時に導通しないように構成したものがある。
規制部材は、一の切換スイッチによる一の配線の導通状態への切り換え操作を制限するが他の切換スイッチの切り換え操作を制限しない一の位置と、他の切換スイッチによる他の配線の導通状態への切り換え操作を制限するが一の切換スイッチの切り換え操作を制限しない他の位置との間で移動可能となっている。
【０００３】
そして、従来の切換装置においては、切換スイッチの切り換え操作及び規制部材の移動が互いに独立しており、また、切換スイッチの切り換え操作方向と規制部材の移動方向とが互いに異なっている。例えば特許文献１に記載の構成では、切換スイッチが直線方向に移動し、規制部材が切換スイッチの移動方向に直交する直線方向に移動するようになっている。したがって、例えば規制部材が一の位置に配された状態において他の配線を導通状態とするためには、一の切換スイッチの切り換え操作により一の配線を非導通状態とした後に、規制部材を一の位置から他の位置に移動する必要がある。すなわち、これらの操作を順番に実施することで、他の切換スイッチによる他の配線の導通／非導通状態の切り換え操作が可能となる。
【先行技術文献】
【特許文献】
【０００４】
【特許文献１】特開２００３−２７４５５８号公報
【発明の概要】
【発明が解決しようとする課題】
【０００５】
しかしながら、上記従来の切換装置においては、切換スイッチの切り換え操作及び規制部材の移動が互いに独立しているため、配線の導通状態切り換えに要する切換装置の操作回数が多く面倒である、という問題がある。
【０００６】
本発明は、上述した事情に鑑みてなされたものであって、二種類の配線が同時に導通することを確実に防止しながら、複数の配線の導通／非導通状態の切り換えを容易に行うことができる切換装置を提供することを目的とする。
【課題を解決するための手段】
【０００７】
この課題を解決するために、本発明の切換装置は、複数の配線の導通／非導通状態を個別に切り換える複数の切換スイッチと、第一配線が導通状態のときに第二切換スイッチによる第二配線の導通状態への切り換え操作を規制し、且つ、前記第二配線が導通状態のときに第一切換スイッチによる前記第一配線の導通状態への切り換え操作を規制するインターロック構造とを備える切換装置であって、前記第一切換スイッチが、前記第一配線を導通状態とする導通位置と、前記第一配線を非導通状態とする非導通位置との間で移動可能とされた導電性部材を備え、前記インターロック構造が、前記導電性部材に一体に固定された規制部材を備え、当該規制部材は、前記導電性部材を前記導通位置に配した状態において、前記第二配線を非導通状態から導通状態とする前記第二切換スイッチの切り換え操作を規制し、且つ、前記導電性部材を前記非導通位置に配した状態において、前記第二配線を非導通状態から導通状態とする前記第二切換スイッチの切り換え操作の規制を解除し、前記規制部材が電気的な絶縁性を有し、前記第一切換スイッチが、前記導電性部材及び前記規制部材を前記導通位置に配した状態で前記導電性部材の両端を前記第一配線の端子に固定し、前記導電性部材及び前記規制部材を前記非導通位置に配した状態で前記規制部材を前記第一配線の端子に固定する固定具を備えることを特徴とする。
【０００８】
上記切換装置によれば、第一切換スイッチが導通位置に配されて第一配線が導通状態であるときは、第二配線を導通状態に切り換える第二切換スイッチの切り換え操作が規制部材によって阻止されるため、第二配線が非導通状態に保持されることになる。一方、第一切換スイッチが非導通位置に配されて第一配線が非導通状態であるときは、第二配線を導通状態に切り換える第二切換スイッチの切り換え操作が可能となる。すなわち、第一配線及び第二配線が同時に導通状態となることを確実に防止できる。
【０００９】
また、導電性部材及び規制部材が一体に固定されることで、導電性部材及び規制部材が一体に移動するため、第一配線の導通／非導通状態を切り換える第一切換スイッチの切り換え操作と、第二切換スイッチの切り換え操作の規制状態を変更する規制部材の移動とを、同時に実施することができる。すなわち、従来の切換装置と比較して、配線の導通状態切り換えに要する切換装置の操作回数を減らして、複数の配線の導通／非導通状態の切り換えを容易に行うことができる。
さらに、上記構成では、固定具によって導電性部材や規制部材を第一配線の端子に固定することで、導電性部材及び規制部材が導通位置や非導通位置から不意に移動することを確実に防止できる。例えば第一配線が不意に非導通状態となることを確実に防止できる。また、規制部材が電気的な絶縁性を有していることで、規制部材を導電性部材と同様に第一配線の端子に固定しても、第一配線を非導通状態に保持することができる。
【００１０】
そして、前記切換装置においては、前記導電性部材及び前記規制部材が、回転によって前記導通位置と前記非導通位置との間で移動可能とされていることが好ましい。
この構成では、従来のように第一切換スイッチを平行移動（直線方向に移動）させる場合と比較して移動領域が小さくなるため、第一切換スイッチの実質的な配置領域をコンパクトに抑えて、切換装置の小型化を図ることができる。
また、第二切換スイッチが複数ある場合には、複数の第二切換スイッチを規制部材の回転方向に配列することも可能となる。すなわち、規制部材を平行移動させる場合と比較して、第二切換スイッチの配置の設計自由度が向上する。
【００１１】
さらに、前記切換装置において、前記インターロック構造は、前記第二配線が導通状態のときに前記導電性部材及び前記規制部材の前記導通位置への移動を阻止する移動阻止手段を備えているとよい。
【００１２】
また、前記切換装置において、前記第二切換スイッチ及び前記第二配線が複数設けられる場合には、前記インターロック構造が、前記第二配線を導通状態に切り換える全ての前記第二切換スイッチの切り換え操作を阻止する切換阻止位置と、前記第二配線を導通状態に切り換える少なくとも一つの前記第二切換スイッチの切換え操作を可能とする切換可能位置との間で移動可能とされ、且つ、前記導電性部材を前記導通位置に配した状態において前記規制部材によって前記切換阻止位置に固定される切換阻止部材を備え、前記移動阻止手段が、前記切換阻止部材に形成され、前記切換阻止部材を前記切換可能位置に配した状態で前記規制部材の前記導通位置に配される当接突起によって構成されていることがより好ましい。
【００１３】
この構成では、複数の第二切換スイッチ及び第二配線を備えていても、第一配線が導通状態である場合に、全ての第二切換スイッチによる第二配線の導通状態への切り換え操作を防止できる。
そして、この切換装置によれば、規制部材の導通位置に当接突起が配された状態では、規制部材を非導通位置から導通位置に移動させようとしても、規制部材が当接突起に当接し、導通位置に到達することはない。すなわち、規制部材と一体に固定された導電性部材も導通位置には到達しない。したがって、第二配線が導通状態であるときに第一配線が導通状態となることを確実に防止できる。
【００１４】
なお、前記切換装置では、前記切換阻止部材は、前記切換阻止位置に配された状態で前記導通位置に配された前記規制部材に係合することで、前記切換阻止位置に固定されることがさらに好ましい。
この構成では、第一配線が導通状態である場合に、全ての第二切換スイッチによる第二配線の導通状態への切り換え操作をより確実に防止できる。
【００１６】
さらに、前記切換装置では、前記第一切換スイッチが、前記導電性部材を前記第一配線の端子から離間する方向に付勢する付勢手段を備えることが好ましい。
この構成では、固定具による導電性部材と第一配線との固定を解除するだけで、付勢手段の付勢力によって導電性部材を第一配線の端子から離間して第一配線を容易に非導通状態とすることができる。
【発明の効果】
【００１７】
本発明によれば、二種類の配線が同時に導通することを確実に防止しながら、配線の導通状態切り換えに要する切換装置の操作回数を減らして、複数の配線の導通／非導通状態の切り換えを容易に、且つ、安全に行うことができる。
【図面の簡単な説明】
【００１８】
【図１】本発明の一実施形態に係る切換装置において、第一配線が導通状態である場合の概略斜視図である。
【図２】図１の状態における第一切換スイッチを示す概略側面図である。
【図３】本発明の一実施形態に係る切換装置の回路図である。
【図４】図２の第一切換スイッチにおいて、固定具のボルトを取り外した状態を示す概略側面図である。
【図５】図１に示す切換装置において、第一配線が非導通状態である場合の概略斜視図である。
【図６】図５の状態における第一切換スイッチを示す概略側面図である。
【発明を実施するための形態】
【００１９】
以下、図１〜６を参照して本発明の一実施形態について説明する。
図１〜３に示すように、この実施形態に係る切換装置１は、三つの配線Ｌ１，Ｌ２１，Ｌ２２の導通／非導通状態を個別に切り換える三つの切換スイッチＳＷ１，ＳＷ２１，ＳＷ２２と、三つの配線Ｌ１，Ｌ２１，Ｌ２２が同時に導通状態とならないように三つの切換スイッチＳＷ１，ＳＷ２１，ＳＷ２２の切り換え操作を規制するインターロック構造５と、を同一の筐体４に設けて大略構成されている。
【００２０】
なお、図３に示す回路図において、第一配線Ｌ１は、直流負電圧ライン（−側の電力供給線）ＶＬｃを、電気抵抗を介さずに短絡状態で接地（負電圧ラインＶＬｃ直接接地）させる電気配線である。したがって、第一配線Ｌ１のみが導通状態のときには、直流負電圧ラインＶＬｃの電位が接地と同電位となり、直流負電圧ラインＶＬｃと直流正電圧ラインＶＬａが安定電位となる。
また、一方の第二切換スイッチＳＷ２１によって導通／非導通状態が切り換えられる一方の第二配線Ｌ２１は、直流負電圧ラインＶＬｃ及び直流正電圧ライン（＋側の電力供給配線）ＶＬａを、それぞれ電気抵抗Ｒ１、Ｒ２を介して接地（両電圧ラインＶＬａ，ＶＬｃ高抵抗接地）させる電気配線である。したがって、一方の第二配線Ｌ２１のみが導通状態のときには、直流負電圧ラインＶＬｃと直流正電圧ラインＶＬａの中間電位が接地の電位となる。また、直流負電圧ラインＶＬｃ及び直流正電圧ラインＶＬａにそれぞれ電気抵抗Ｒ１、Ｒ２が接続されているため、直流正電圧ラインＶＬａと接地間、又は、直流負電圧ラインＶＬｃと接地間で短絡しても電気抵抗Ｒ１，Ｒ２により電流を制限できるため、誘導障害を抑えることが可能となる。
【００２１】
さらに、他方の第二切換スイッチＳＷ２２によって導通／非導通状態が切り換えられる他方の第二配線Ｌ２２は、直流負電圧ラインＶＬｃを、電気抵抗Ｒ３を介して接地（負電圧ラインＶＬｃ高抵抗接地）させる電気配線である。したがって、他方の第二配線Ｌ２２のみが導通状態のときには、直流負電圧ラインＶＬｃの電位が接地とほぼ同電位となる。また、直流負電圧ラインＶＬｃに電気抵抗Ｒ３が接続されているため、直流正電圧ラインＶＬａと接地間で短絡しても電気抵抗Ｒ３により電流を制限できるため、誘導障害を抑えることが可能となる。
すなわち、本実施形態の切換装置１は、三つの配線Ｌ１，Ｌ２１，Ｌ２２のいずれか一つを選択的に導通状態とすることで、接地の接続方式を切り換える役割を果たしている。
【００２２】
第一切換スイッチＳＷ１は、図１，２に示すように、第一配線Ｌ１を導通状態とするための短冊板状の導電性部材１１と、導電性部材１１を第一配線Ｌ１の両端子Ｌ１ａに固定するための固定具１２と、導電性部材１１を第一配線Ｌ１の両端子Ｌ１ａから離間する方向に付勢するコイルスプリング（付勢手段）１３とを備えている。なお、第一配線Ｌ１の両端子Ｌ１ａは、互いに間隔をあけた状態で筐体４に固定されている。
導電性部材１１は、その長手方向の中間位置において筐体４の絶縁部１９に設けられた軸部１４に対して回転するように、且つ、軸部１４に対してその軸線方向に平行移動するように軸部１４に取り付けられている。そして、導電性部材１１は、これら回転移動及び平行移動によって、導電性部材１１の両端が第一配線Ｌ１の両端子Ｌ１ａに接触して第一配線Ｌ１を導通状態とする導通位置（図１，２の状態）と、両端が第一配線Ｌ１の両端子Ｌ１ａから離間して第一配線Ｌ１を非導通状態とする非導通位置（例えば図４〜６の状態）との間で、移動可能とされている。
なお、導電性部材１１には、その長手方向の一端において軸部１４を中心とした回転方向の一方（図１においてＡ方向）に突出する先端突起部１１ａが形成されており、これによって、導電性部材１１が平面視でＬ字形状となっている。
【００２３】
固定具１２は、第一配線Ｌ１の両端子Ｌ１ａに設けられた一対のボルト１５及びナット１６により構成されている。この構成では、導通位置に配された導電性部材１１の両端にボルト１５を挿通した上で、第一配線Ｌ１の両端子Ｌ１ａに固定されたナット１６に螺着することで、導電性部材１１の両端が第一配線Ｌ１の両端子Ｌ１ａに固定される。
コイルスプリング１３は、軸部１４に取り付けられ、導電性部材１１を軸部１４の軸線方向に付勢している。なお、導電性部材１１を固定具１２により第一配線Ｌ１の両端子Ｌ１ａに固定した状態では、コイルスプリング１３が圧縮されている。すなわち、この状態においては、導電性部材１１が、コイルスプリング１３の付勢力に抗った状態で第一配線Ｌ１の両端子Ｌ１ａに固定されている。したがって、固定具１２による導電性部材１１の固定を解除した際には、導電性部材１１がコイルスプリング１３の付勢力によって第一配線Ｌ１の両端子Ｌ１ａから軸部１４の軸線方向に自動的に離間する。
【００２４】
また、この第一切換スイッチＳＷ１は、導電性部材１１の先端突起部１１ａに固定され、該一端からコイルスプリング１３の付勢方向と逆向きに延びる棒状の押付絶縁部材１７と、第一配線Ｌ１の導通状態を表示するためのマイクロスイッチＭＳとを備えている。
この構成において、押付絶縁部材１７は、図２に示すように、導電性部材１１が導通位置に配された状態でマイクロスイッチＭＳのアームＭＳａを押し付け、これにより、マイクロスイッチＭＳがオン状態となる。一方、図４，６に示すように、導電性部材１１が非導通位置に配された状態では、押付絶縁部材１７がマイクロスイッチＭＳのアームＭＳａから離間し、マイクロスイッチＭＳがオフ状態となる。
このマイクロスイッチＭＳは、第一配線Ｌ１の導通／非導通状態を監視する役割を果たしており、前述した直流正電圧ラインＶＬａ及び直流負電圧ラインＶＬｃの接地状態（接地方式）を表示するＬＣＤ等の表示装置（不図示）に接続されている。
【００２５】
以上のように構成される第一切換スイッチＳＷ１は、図１，２に示すように、第一配線Ｌ１が導通状態であるときに、押付絶縁部材１７が鉛直方向上側に位置するように配されている。
このため、ボルト１５を導電性部材１１及び第一配線Ｌ１の両端子Ｌ１ａから取り外し、固定具１２による導電性部材１１と第一配線Ｌ１の両端子Ｌ１ａとの固定が解除された状態においては、図４に示すように、コイルスプリング１３の付勢力によって導電性部材１１が第一配線Ｌ１の両端子Ｌ１ａから軸線方向に離間した後、導電性部材１１の先端突起部１１ａの重みによって導電性部材１１が一方向（図１においてＡ方向）に回転する。
なお、導電性部材１１を図１に示す導通位置から一方向（Ａ方向）に９０度回転させた位置（図５，６に示す位置）には、押付絶縁部材１７が当接してＡ方向への回転を規制する規制突起部１８が形成されている。すなわち、導電性部材１１と第一配線Ｌ１の両端子Ｌ１ａとの固定が解除された状態から、導電性部材１１の先端突起部１１ａの重みによって導電性部材１１がＡ方向に回転した際には、導電性部材１１が導通位置から９０度回転した位置において、押付絶縁部材１７が規制突起部１８に当接することで導電性部材１１の回転が停止する。
【００２６】
各第二切換スイッチＳＷ２１，ＳＷ２２は、軸部１４の軸線方向に直交する一方向（ＣＤ方向）にスライドすることで第二配線Ｌ２１，Ｌ２２の導通／非導通状態を切り換える所謂スライドスイッチを呈している。
これら二つの第二切換スイッチＳＷ２１，ＳＷ２２は、第一切換スイッチＳＷ１の軸部１４からその径方向に離間した位置において、互いに間隔をあけた状態で、第一配線Ｌ１の両端子Ｌ１ａの配列方向に沿って配列されている。また、各第二切換スイッチＳＷ２１，ＳＷ２２の切り換え操作のスライド方向（ＣＤ方向）は、二つの第二切換スイッチＳＷ２１，ＳＷ２２の配列方向に直交し、第一切換スイッチＳＷ１に対して接近／離間する方向に設定されている。
【００２７】
そして、各第二切換スイッチＳＷ２１，ＳＷ２２を第一切換スイッチＳＷ１から離間する方向（Ｃ方向）にスライドした状態では、これに対応する第二配線Ｌ２１，Ｌ２２が非導通状態となる。すなわち、各第二切換スイッチＳＷ２１，ＳＷ２２がオフ状態となる。また、各第二切換スイッチＳＷ２１，ＳＷ２２を第一切換スイッチＳＷ１に接近する方向（Ｄ方向）にスライドした状態では、これに対応する第二配線Ｌ２１，Ｌ２２が導通状態となる。すなわち、各第二切換スイッチＳＷ２１，ＳＷ２２がオン状態となる。
なお、各第二切換スイッチＳＷ２１，ＳＷ２２は、各第二切換スイッチＳＷ２１，ＳＷ２２の補助接点等により、各第二配線Ｌ２１，Ｌ２２の導通／非導通状態を監視する役割を果たしており、マイクロスイッチＭＳと同様に、直流正電圧ラインＶＬａ及び直流負電圧ラインＶＬｃの接地状態（接地方式）を表示する表示装置に接続されている。
【００２８】
インターロック構造５は、導電性部材１１に一体に固定された規制部材５１と、二つの第二切換スイッチＳＷ２１，ＳＷ２２の近傍に配された切換阻止部材５２と、を備えて大略構成されている。
規制部材５１は、電気的な絶縁性を有する短冊板状に形成され、その長手方向が導電性部材１１の長手方向に直交するように、導電性部材１１とその厚さ方向に重ねて固定されている。なお、図示例においては、筐体４側から規制部材５１と導電性部材１１とが順番に配列されている。また、導電性部材１１及び規制部材５１は、これらの長手方向の中間位置において互いに直交しており、全体で平面視十字形状を呈している。
【００２９】
そして、規制部材５１は、図５，６に示すように、導電性部材１１を導通位置から９０度回転させた位置（非導通位置）に配した状態おいて、第一配線Ｌ１の両端子Ｌ１ａに重なるように配され、導電位置に配された導電性部材１１の場合と同様に、固定具１２によって第一配線Ｌ１の端子Ｌ１ａに固定されるようになっている。すなわち、固定具１２は、導電性部材１１及び規制部材５１を非導通位置に配した状態において、規制部材５１を第一配線Ｌ１の端子Ｌ１ａに固定する役割も果たしている。
なお、図示例では、導電性部材１１を非導通位置に配した状態で、規制部材５１の両端が固定具１２によって第一配線Ｌ１の両端子Ｌ１ａに固定されているが、例えば規制部材５１の一端のみが固定具１２によって一方の端子Ｌ１ａに固定されてもよい。ただし、導電性部材１１を非導通位置に配した状態で、一対のボルト１５の両方で規制部材５１を固定しておけば、一対のボルト１５を紛失しないという効果を奏する。また、規制部材５１は電気的な絶縁性を有するため、図示例のように、規制部材５１の両端が固定具１２によって両端子Ｌ１ａに固定されていても、第一配線Ｌ１を非導通状態に保持することができる。
【００３０】
切換阻止部材５２は、二つの第二切換スイッチＳＷ２１，ＳＷ２２の配列方向に延びる短冊板状に形成され、筐体４に対して前記配列方向（ＥＦ方向）に移動可能となるように、筐体４に取り付けられている。より詳細に説明すれば、切換阻止部材５２には、その厚さ方向に貫通してＥＦ方向に延びる長孔５２ａが形成されており、この長孔５２ａにネジ５３（例えばローレットネジ）を挿通させた状態で筐体４に螺着することで、切換阻止部材５２がＥＦ方向に移動可能となっている。
【００３１】
このように取り付けられた切換阻止部材５２は、二つの第二切換スイッチＳＷ２１，ＳＷ２２がＣ方向にスライドしてオフ状態（二つの第二配線Ｌ２１，Ｌ２２が非導通状態）となっているときに、図１に示すように、第二配線Ｌ２１，Ｌ２２を導通状態に切り換える全ての第二切換スイッチＳＷ２１，ＳＷ２２の切り換え操作を阻止する切換阻止位置に配置することができる。
また、切換阻止部材５２を切換阻止位置からＥＦ方向の一方に移動した位置（切換可能位置）に配すると、第二配線Ｌ２１，Ｌ２２を導通状態に切り換える二つの第二切換スイッチＳＷ２１，ＳＷ２２のいずれか一方の切り換え操作（第二切換スイッチＳＷ２１，ＳＷ２２をＤ方向にスライドしてオン状態とする操作）が可能となる。
例えば、切換阻止部材５２を、図１に示す切換阻止位置から他方の第二切換スイッチＳＷ２２に近づける方向（Ｆ方向）に移動して、図５に示す切換可能位置に配した状態では、一方の第二切換スイッチＳＷ２１をＤ方向にスライドしてオン状態とすることが可能となる。
【００３２】
なお、切換阻止部材５２が上記切換可能位置に配され、且つ、一方の第二切換スイッチＳＷ２１がオン状態のときは、切換阻止部材５２を一方の第二切換スイッチＳＷ２１に近づける方向（Ｅ方向）への移動が、一方の第二切換スイッチＳＷ２１によって規制される。このような切換阻止部材５２の移動規制は、切換阻止部材５２を切換阻止位置からＥ方向に移動した切換可能位置に配した場合でも同様となる。すなわち、この構成では、二つの第二配線Ｌ２１，Ｌ２２が同時に導通状態となることを防止している。
【００３３】
さらに、切換阻止部材５２には、コイルスプリング１３の付勢方向に突出する一対の当接突起５４が形成されている。一対の当接突起５４は、切換阻止部材５２の長手方向に互いに間隔をあけて配されている。なお、一対の当接突起５４の間隔は、規制部材５１の幅寸法と比較して同等あるいは微小に大きく設定されている。
【００３４】
この構成では、図１に示すように、切換阻止部材５２が切換阻止位置に配された状態において、導通位置に配されて軸部１４から切換阻止部材５２に向けて延びる規制部材５１の一端が一対の当接突起５４の間に入り込み、規制部材５１と切換阻止部材５２とが係合することになる。この係合状態では、規制部材５１は導通位置に配された導電性部材１１と共に固定具１２によって固定されているため、切換阻止部材５２の移動が規制され、切換阻止部材５２が切換阻止位置に固定されることになる。なお、固定具１２による導電性部材１１の固定が解除され、規制部材５１が導電性部材１１と共にコイルスプリング１３の付勢力によって非導通位置に移動した状態（図４の状態）では、規制部材５１の一端が一対の当接突起５４から抜け出るため、規制部材５１と切換阻止部材５２との係合状態が解除される。
【００３５】
すなわち、一対の当接突起５４は、導通位置に配された導電性部材１１及び規制部材５１と共に、切換阻止部材５２を切換阻止位置に固定することで、第二切換スイッチＳＷ２１，ＳＷ２２の切り換え操作を規制して、第二配線Ｌ２１，Ｌ２２が導通状態となることを確実に防止している。
言い換えれば、規制部材５１は、第一配線Ｌ１が導通状態のときに、切換阻止部材５２の当接突起５４を介して第二切換スイッチＳＷ２１，ＳＷ２２による第二配線Ｌ２１，Ｌ２２の導通状態への切り換え操作を規制し、且つ、第一配線Ｌ１が非導通状態のときに第二切換スイッチＳＷ２１，ＳＷ２２による第二配線Ｌ２１，Ｌ２２の導通状態への切り換え操作の規制を解除する役割を果たしている。
【００３６】
一方、図５に示すように、切換阻止部材５２を切換可能位置に配した状態では、一方の当接突起５４が、導電性部材１１及び規制部材５１の導通位置に配される、言い換えれば、導電性部材１１を導通位置に配した状態で規制部材５１の一端が位置する領域に配される。したがって、この状態では、規制部材５１を非導通位置から導通位置に移動させようとしても、規制部材５１の一端が当接突起５４に当接するため、規制部材５１及び導電性部材１１が導通位置に到達することはない。
すなわち、一対の当接突起５４は、第二配線Ｌ２１，Ｌ２２が導通状態のときに導電性部材１１及び規制部材５１の導通位置への移動を阻止する移動阻止手段５５を構成し、第一配線Ｌ１が導通状態となることを防止している。
以上のように、本実施形態のインターロック構造５では、規制部材５１及び当接突起５４によって、第一配線Ｌ１と第二配線Ｌ２１，Ｌ２２とが同時に導通状態となることが防止され、切換阻止部材５２によって、複数の第二配線Ｌ２１，Ｌ２２が同時に導通状態となることが防止されている。
【００３７】
そして、本実施形態の切換装置１においては、三つの配線Ｌ１，Ｌ２１，Ｌ２２のうち一つ配線のみが導通状態とすることができ、残り二つの配線が非導通状態に保持されるようになっている。したがって、図３に示す各電圧ラインＶＬａ，ＶＬｃの接地状態は、表１に示すように、導電性部材１１が第一配線Ｌ１の両端子Ｌ１ａに接続されてマイクロスイッチＭＳがオン状態となる負電圧ラインＶＬｃ直接接地の状態、他方の第二配線Ｌ２２が導通状態（他方の第二切換スイッチＳＷ２２がオン状態）となる負電圧ラインＶＬｃ高抵抗接地の状態、一方の第二配線Ｌ２１が導通状態（一方の第二切換スイッチＳＷ２１がオン状態）となる両電圧ラインＶＬａ，ＶＬｃ高抵抗接地の状態、及び、全ての配線Ｌ１，Ｌ２１，Ｌ２２が非導通状態（マイクロスイッチＭＳ及び二つの第二切換スイッチＳＷ２１，ＳＷ２２が全てオフ状態）となる両電圧ラインＶＬａ，ＶＬｃ非接地の状態、の４種類となる。
なお、これら４種類の接地状態は、第一切換スイッチＳＷ１のマイクロスイッチＭＳや第二切換スイッチＳＷ２１，ＳＷ２２の各監視部に接続された表示装置に表示されるため、電圧ラインＶＬａ，ＶＬｃの接地状態を容易に監視することができる。
【００３８】
【表１】
0005564320.tif 000002
【００３９】
以下に、表１に示す電圧ラインＶＬａ，ＶＬｃ接地状態を切り換える手順の一例について述べる。
例えば、負電圧ラインＶＬｃ直接接地状態（図１，２の状態）から、両電圧ラインＶＬａ，ＶＬｃ高抵抗接地状態（図５，６の状態）、あるいは、負電圧ラインＶＬｃ高抵抗接地状態に切り換える場合には、はじめに、ボルト１５を取り外して固定具１２による導電性部材１１の固定を解除する。この際には、図４に示すように、導電性部材１１及び規制部材５１がコイルスプリング１３の付勢力によって第一配線Ｌ１から離間した非導通位置に移動し、第一配線Ｌ１が非導通状態となる。また、押付絶縁部材１７がマイクロスイッチＭＳのアームＭＳａから離間し、マイクロスイッチＭＳがオフ状態となる。さらに、規制部材５１の一端が一対の当接突起５４から抜け出て、切換阻止位置に配された切換阻止部材５２と規制部材５１との係合状態が解除される。
【００４０】
そして、コイルスプリング１３の付勢力に伴う導電性部材１１及び規制部材５１の移動の後には、導電性部材１１の先端突起部１１ａの重みによって導電性部材１１及び規制部材５１がＡ方向に９０度回転する。この回転後の状態においては、規制部材５１の長手方向が第一配線Ｌ１の両端子Ｌ１ａの配列方向に一致し、規制部材５１の両端が第一配線Ｌ１の両端子Ｌ１ａに対向配置されている。
次いで、図５，６に示すように、コイルスプリング１３の付勢力に抗って規制部材５１の両端を第一配線Ｌ１の両端子Ｌ１ａに当接させると共に、ボルト１５を取り付けて固定具１２により規制部材５１の両端を第一配線Ｌ１の両端子Ｌ１ａに固定する。
また、切換阻止部材５２を切換阻止位置からいずれか一方の切換可能位置（図５においては、一方の第二切換スイッチＳＷ２１の切り換え操作を可能とする位置）に移動させた上で、切り換え操作可能となった第二切換スイッチＳＷ２１，ＳＷ２２（図５では一方の第二切換スイッチＳＷ２１）をオン状態とすることで、電圧ラインＶＬａ，ＶＬｃ接地状態の切り換えが完了する。
なお、両電圧ラインＶＬａ，ＶＬｃ高抵抗接地状態（図５，６の状態）や、負電圧ラインＶＬｃ高抵抗接地状態から、負電圧ラインＶＬｃ直接接地状態（図１，２の状態）に切り換える場合には、前述と逆の手順で行えばよい。
【００４１】
以上説明したように、本実施形態に係る切換装置１によれば、導電性部材１１及び規制部材５１が一体に固定されることで、導電性部材１１及び規制部材５１が一体に移動するため、第一配線Ｌ１の導通／非導通状態を切り換える第一切換スイッチＳＷ１の切り換え操作と、第二切換スイッチＳＷ２１，ＳＷ２２の切り換え操作の規制状態を変更する規制部材５１の移動とを、同時に実施することができる。すなわち、第一配線Ｌ１と第二配線Ｌ２１，Ｌ２２とが同時に導通状態になることを確実に防止しながら、従来の切換装置と比較して、配線の導通状態切り換えに要する切換装置１の操作回数を減らして、配線Ｌ１，Ｌ２１，Ｌ２２の導通／非導通状態の切り換えを容易に行うことができる。
【００４２】
また、導電性部材１１及び規制部材５１は、回転によって導通位置と非導通位置との間で移動可能となっているため、従来のように第一切換スイッチＳＷ１を平行移動（直線方向に移動）させる場合と比較して移動領域が小さくなる。したがって、第一切換スイッチＳＷ１の実質的な配置領域をコンパクトに抑えて、切換装置１の小型化を図ることが可能となる。
さらに、規制部材５１が導電性部材１１と共に回転可能となっているため、例えば複数の第二切換スイッチＳＷ２１，ＳＷ２２を規制部材５１の回転方向に配列することもできる。すなわち、規制部材５１を平行移動させる場合と比較して、第二切換スイッチＳＷ２１，ＳＷ２２の配置の設計自由度が向上する。
【００４３】
また、インターロック構造５が切換阻止部材５２を備えることで、二つの第二配線Ｌ２１，Ｌ２２のいずれかを選択して導通させることが可能となる。
さらに、切換阻止部材５２が、導通位置に配された規制部材５１に係合して切換阻止位置に固定されることで、第一配線Ｌ１が導通状態のときに、第二配線Ｌ２１，Ｌ２２を導通状態に切り換える全ての第二切換スイッチＳＷ２１，ＳＷ２２の切り換え操作を確実に防止することができる。
また、切換阻止部材５２が切換可能位置に配された状態では、当接突起５４が導電性部材１１及び規制部材５１の導通位置に配されて、導電性部材１１及び規制部材５１が導通位置に到達することがないため、第二配線Ｌ２１，Ｌ２２が導通状態であるときに第一配線Ｌ１が導通状態となることを確実に防止できる。
【００４４】
さらに、導電性部材１１や規制部材５１を第一配線Ｌ１の端子Ｌ１ａに固定する固定具１２が設けられることで、導電性部材１１及び規制部材５１が導通位置あるいは非導通位置から不意に移動することを確実に防止できる。例えば第一配線Ｌ１が不意に非導通状態となることを確実に防止できる。
また、第一切換スイッチＳＷ１がコイルスプリング１３を備えることにより、固定具１２による導電性部材１１と第一配線Ｌ１との固定を解除するだけで、導電性部材１１を第一配線Ｌ１の端子Ｌ１ａから離間させて、第一配線Ｌ１を容易に、且つ、安全に非導通状態とすることができる。
さらに、固定具１２による導電性部材１１と第一配線Ｌ１との固定を解除するだけで、導電性部材１１を第一配線Ｌ１の端子Ｌ１ａから瞬時に且つ確実に離間できるため、導電性部材１１が接地等の他の電位部分との接触による短絡を防止できる。
【００４５】
なお、本発明は上述した実施形態に限定されるものではなく、本発明の趣旨を逸脱しない範囲において種々の変更を加えることが可能である。
例えば、第二切換スイッチＳＷ２１，ＳＷ２２は、スライドスイッチに限らず、少なくとも切換阻止部材５２を切換阻止位置に配した状態でオン状態への切り換え操作が阻止されるように構成されていれば、例えば回転型のスイッチや押ボタン等であってもよい。
また、第二配線Ｌ２１，Ｌ２２及び第二切換スイッチＳＷ２１，ＳＷ２２は、二つ設けられるとしたが、一つあるいは三つ以上設けられてもよい。
【００４６】
さらに、第二配線Ｌ２１，Ｌ２２が導通状態のときに導電性部材１１及び規制部材５１の導通位置への移動を阻止する移動阻止手段５５は、切換阻止部材５２の当接突起５４によって構成されることに限らず、例えば第二切換スイッチＳＷ２１，ＳＷ２２によって構成されてもよい。この場合には、第二切換スイッチＳＷ２１，ＳＷ２２が、オン状態で導電性部材１１及び規制部材５１の導通位置への移動を阻止する位置に配され、オフ状態で導電性部材１１及び規制部材５１の導通位置への移動を可能とする位置に配されていればよい。
【００４７】
また、第二配線Ｌ２１，Ｌ２２を導通状態に切り換える第二切換スイッチＳＷ２１，ＳＷ２２の切り換え操作の規制及びその解除は、切換阻止部材５２の移動によって実施されることに限らず、例えば、規制部材５１の移動によって実施されてもよい。
この場合には、規制部材５１が、導通位置に配された状態で、第二配線Ｌ２１，Ｌ２２を導通状態に切り換える第二切換スイッチＳＷ２１，ＳＷ２２の切り換え操作を阻止する切換阻止位置に配され、且つ、非導通位置に配された状態で、第二配線Ｌ２１，Ｌ２２を導通状態に切り換えるいずれか一つの第二切換スイッチＳＷ２１，ＳＷ２２の切り換え操作を可能とする切換可能位置に配されればよい。なお、規制部材５１に上記の役割を持たせる場合には、規制部材５１の形状や大きさを適宜変更したり、第二切換スイッチＳＷ２１，ＳＷ２２の構成や形状を適宜変更すればよい。
【００４８】
なお、前述したように、移動阻止手段５５を第二切換スイッチＳＷ２１，ＳＷ２２により構成したり、切換阻止部材５２の役割を規制部材５１に持たせる場合には、特に切換阻止部材５２を設けなくても構わない。
【００４９】
さらに、第二配線Ｌ２１，Ｌ２２及び第二切換スイッチＳＷ２１，ＳＷ２２が複数設けられる場合、切換阻止部材５２が切換可能位置に配された状態においては、複数の第二配線Ｌ２１，Ｌ２２のうち一つだけを導通状態に切り換え可能となるように切換阻止部材５２が構成されてもよいが、例えば、複数の第二配線Ｌ２１，Ｌ２２のうち幾つかあるいは全てを導通状態に切り換えることができるように切換阻止部材５２が構成されていてもよい。すなわち、切換阻止部材５２が切換可能位置に配された状態で、複数の第二配線Ｌ２１，Ｌ２２をそれぞれ導通状態に切り換える複数の第二切換スイッチＳＷ２１，ＳＷ２２のうち幾つかあるいは全ての切り換え操作が可能となっていてもよい。
【００５０】
また、導電性部材１１は、回転移動及び平行移動するように軸部１４に取り付けられるとしたが、少なくとも第一配線Ｌ１を導通状態とする導通位置と、第一配線Ｌ１を非導通状態とする非導通位置との間で移動可能となっていればよい。すなわち、導電性部材１１の導通位置と非導通位置との間の移動は、例えば回転移動あるいは平行移動のいずれか一方のみによって行われてもよい。
より具体的に説明すれば、導電性部材１１は、例えば図１に示す導通位置から規制部材５１の長手方向に沿って第二切換スイッチＳＷ２１，ＳＷ２２や切換阻止部材５２から離れる方向に平行移動するように、筐体４に取り付けられてもよい。この構成であっても、上記実施形態と同様に、導電性部材１１を導通位置から非導通位置に移動させることができ、また、規制部材５１と切換阻止部材５２との係合も解除することができる。
【００５１】
また、規制部材５１は、少なくとも導電性部材１１を導通位置に配した状態で第二配線Ｌ２１，Ｌ２２を非導通状態から導通状態とする第二切換スイッチＳＷ２１，ＳＷ２２の切り換え操作を規制し、且つ、導電性部材１１を非導通位置に配した状態で第二配線Ｌ２１，Ｌ２２を導通状態とする第二切換スイッチＳＷ２１，ＳＷ２２の切り換え操作の規制を解除できるように、導電性部材１１に固定されていればよい。すなわち、規制部材５１は、導電性部材１１の任意の箇所に固定されていてよいし、導電性部材１１に対して任意の角度で交差してもよい。
【符号の説明】
【００５２】
１  切換装置
５  インターロック構造
１１  導電性部材
１１ａ  先端突起部
１２  固定具
１３  コイルスプリング
１７  押付絶縁部材
５１  規制部材
５２  切換阻止部材
５４  当接突起
５５  移動阻止手段
Ｌ１  第一配線
Ｌ１ａ  端子
Ｌ２１，Ｌ２２  第二配線
ＳＷ１  第一切換スイッチ
ＳＷ２１，ＳＷ２２  第二切換スイッチ
【図１】
0005564320.tif 000003
【図２】
0005564320.tif 000004
【図３】
0005564320.tif 000005
【図４】
0005564320.tif 000006
【図５】
0005564320.tif 000007
【図６】
0005564320.tif 000008